(57)【要約】【課題】  ネジ等を用いずにリールユニットを容易に取り付けできるリールユニット取付構造、リールユニット及び遊技機を提供する。【解決手段】  リールユニットが少なくとも１つのユニット側爪部と、少なくとも１つのユニット側挿入部とを有し、遊技機がユニット側挿入部に対応する少なくとも１つの筐体側爪部と、ユニット側爪部に対応する少なくとも１つの筐体側挿入部とを筐体内に有し、リールユニットのユニット側爪部が、ユニット側爪部に対応する筐体側挿入部に挿入され、かつ、筐体内の筐体側爪部が、筐体側爪部に対応するユニット側挿入部に挿入された後、リールユニット自体をスライドさせて筐体に固定する。【選択図】  図１
2005052569.tif 000002
【特許請求の範囲】
【請求項１】
遊技機に搭載されるリールユニットを前記遊技機の筐体内に取り付けるためのリールユニット取付構造であって、
前記リールユニットは、
少なくとも１つのユニット側爪部と、
少なくとも１つのユニット側挿入部とを有し、
前記遊技機は、
前記ユニット側挿入部に対応する少なくとも１つの筐体側爪部と、
前記ユニット側爪部に対応する少なくとも１つの筐体側挿入部とを前記筐体内に有し、
前記リールユニットの前記ユニット側爪部が、該ユニット側爪部に対応する前記筐体側挿入部に挿入され、かつ、前記筐体内の前記筐体側爪部が、該筐体側爪部に対応する前記ユニット側挿入部に挿入されることを特徴とするリールユニット取付構造。
【請求項２】
前記リールユニットは、前記ユニット側爪部が前記筐体側挿入部に、及び前記筐体側爪部が前記ユニット側挿入部に、それぞれ挿入された後、スライドすることにより固定されることを特徴とする請求項１記載のリールユニット取付構造。
【請求項３】
前記ユニット側爪部及び前記ユニット側挿入部は、前記リールユニットに着脱可能であることを特徴とする請求項１または２記載のリールユニット構造。
【請求項４】
前記筐体側爪部及び前記筐体側挿入部は、前記遊技機に着脱可能であることを特徴とする請求項１または２記載のリールユニット取付構造。
【請求項５】
請求項１から４のいずれか１項に記載のリールユニット取付構造に用いられることを特徴とするリールユニット。
【請求項６】
請求項１から４のいずれか１項に記載のリールユニット取付構造を備えることを特徴とする遊技機。
【発明の詳細な説明】
【技術分野】
【０００１】
本発明は、スロットマシン又は弾球遊技機等の箱形遊技機におけるリールユニット取付構造、リールユニット及び遊技機に関する。
【背景技術】
【０００２】
従来、スロットマシンや弾球遊技機に用いられる図柄表示装置（リールユニット）は、遊技機の筐体内にしっかりと固定する必要があるため、リールユニットを載せるための支持板を筐体内の中部に設け、その支持板にリールユニットを載せてネジ固定し、さらにその支持板を筐体の枠体にネジ固定するのが一般的であった。また、リールユニット自体を筐体の背板に直接ネジ固定して取り付けていた。
【０００３】
従来技術例として、リールユニットがリールユニット支持枠板に載置固定される「遊技機」がある（例えば、特許文献１参照）。また、図柄表示ユニットが保持ケースにより筐体に固定される「図柄表示装置」がある（例えば、特許文献２参照）。
【特許文献１】特開２００１−２１２２８７号公報
【特許文献２】特開２００３−１０４３８号公報
【発明の開示】
【発明が解決しようとする課題】
【０００４】
しかしながら、上記特許文献１及び２記載の発明のように、従来技術におけるリールユニットは、ネジ又はネジに代わる部材を用いて筐体の枠板に取り付ける構造であるので、取り付けの際にリールユニットを支えながらネジを締めることになり、取付作業が面倒であった。
【０００５】
また、筐体内の背板や棚板部分以外にリールユニットを取り付けたい場合には、取り付けを行う者が不自然な体勢でネジを締めなければならないので、取付作業が著しく困難であるばかりではなく、取付の際にネジ等の脱着部材を誤って落下させてしまい、作業が煩雑になるので、筐体におけるリールユニットの取付個所が制限されてしまうという問題があった。
【０００６】
本発明は、上記事情に鑑みてなされたものであり、遊技機の筐体内において、任意の場所にリールユニットを容易に取り付けることができるリールユニット取付構造、リールユニット及び遊技機を提供することを目的とする。
【課題を解決するための手段】
【０００７】
かかる目的を達成するために、請求項１記載の発明は、遊技機に搭載されるリールユニットを遊技機の筐体内に取り付けるためのリールユニット取付構造であって、リールユニットは、少なくとも１つのユニット側爪部と、少なくとも１つのユニット側挿入部とを有し、遊技機は、ユニット側挿入部に対応する少なくとも１つの筐体側爪部と、ユニット側爪部に対応する少なくとも１つの筐体側挿入部とを筐体内に有し、リールユニットのユニット側爪部が、ユニット側爪部に対応する筐体側挿入部に挿入され、かつ、筐体内の筐体側爪部が、筐体側爪部に対応するユニット側挿入部に挿入されることを特徴とする。
【０００８】
請求項２記載の発明は、請求項１記載の発明において、リールユニットは、ユニット側爪部が筐体側挿入部に、及び筐体側爪部がユニット側挿入部に、それぞれ挿入された後、スライドすることにより固定されることを特徴とする。
【０００９】
請求項３記載の発明は、請求項１または２記載の発明において、ユニット側爪部及びユニット側挿入部は、リールユニットに着脱可能であることを特徴とする。
【００１０】
請求項４記載の発明は、請求項１または２記載の発明において、筐体側爪部及び筐体側挿入部は、遊技機に着脱可能であることを特徴とする。
【００１１】
請求項５記載の発明は、請求項１から４のいずれか１項に記載のリールユニット取付構造に用いられることを特徴とする。
【００１２】
請求項６記載の発明は、請求項１から４のいずれか１項に記載のリールユニット取付構造を備えることを特徴とする。
【発明の効果】
【００１３】
本発明によれば、ネジ等の取付部材を用いることなく、スロットマシン等の箱形遊技機の筐体内における任意の場所にリールユニットを容易に取り付けることができる。
【発明を実施するための最良の形態】
【００１４】
以下、本発明を実施するための最良の形態について、添付図面を参照して詳細に説明する。本発明に係る筐体構造を備えた遊技機の代表例として、スロットマシンＳＭを図９及び図１０に示しており、まず、これらの図面を参照しながらスロットマシンＳＭの全体構造について説明する。ここで、図９は、従来における一般的なスロットマシンＳＭの外観斜視図であり、図１０は、上記スロットマシンＳＭの前面扉を開錠して開いた状態で内部構造を示す正面図である。
【００１５】
図９に示すように、スロットマシンＳＭは、前面開口を有して箱状のキャビネットボックス２と、この前面開口を覆って開閉可能に取り付けられた前面扉（フロントマスク）３とからなる筐体１を有し、この筐体１の各部に種々の遊技展開装置を配設して構成される。前面扉３は、キャビネットボックス２及び前面扉３の互いの左縁部に配設された上下のヒンジ機構（図示せず）により横開き可能に取り付けられ、常には右側縁に設けられた施錠装置４を利用してキャビネットボックス２に閉鎖施錠された状態で保持される。
【００１６】
前面扉３の表側について図９を参照して説明する。図９に示すように、前面扉３には、メダル投入口５、スタートレバー１１、回胴リール装置２００の各回胴リールＲ１、Ｒ２、Ｒ３に対応して設けられた停止ボタン１２、１３、１４、左右の上部スピーカＳＬ、ＳＲ及び下部スピーカＳＷ等が取り付けられている。前面扉３の前面中央の中部パネルには、回胴リール装置２００と位置整合して透視窓１０が配設されており、各回胴リールＲ１、Ｒ２、Ｒ３の円筒外周面に沿って描かれた多数の絵柄のうち所定の範囲（例えば、上下３つの絵柄の範囲）を遊技機正面から透視可能になっている。前面扉３の中央下部には、メダル払出口６が設けられているとともに、その下側に前方に突出する受け皿７が設けられており、ホッパ装置ＨＰから払い出された遊技メダルが、このメダル払出口６を通って受け皿７に受け止められ貯留されるようになっている。
【００１７】
前面扉３の裏側について図１０を参照して説明する。図１０に示すように、前面扉３の裏側上部には、スピーカＳＲ、ＳＬの間に演出表示装置８が設けられている。さらに、演出表示装置８の裏面側には、電気回路基板で形成されたサブ制御基板３００が取り付けられている。サブ制御基板３００は、導電性配線パターンの形成された絶縁性樹脂基板上に集積回路装置（ＩＣ）やトランジスタ、抵抗、コンデンサ等の電子部品が搭載されて配線接続されたいわゆる電気回路基板として形成され、演出表示装置８の裏面側に重なるようにして取り付けられている。
【００１８】
ここで、サブ制御基板３００は、遊技機に備えられたランプ、効果音や音楽等の音、及び演出画像の演出関係の制御を行う基板である。このサブ制御基板３００には、演出用スピーカＳＲ、ＳＬ、ＳＷと演出用ランプ１７、１８、１９と演出表示装置８がそれぞれ所定の配線ケーブル（図示せず）を介して配線接続されており、サブ制御基板３００に設けられている電気回路が、主制御基板７００からの指示に従ってこれら演出用スピーカＳＲ、ＳＬ、ＳＷと演出用ランプ１７、１８、１９と演出表示装置８を駆動することにより、遊技者の視覚や聴覚に訴える演出を行うようになっている。
【００１９】
演出表示装置８とサブ制御基板３００の下方には、透視窓１０が形成された略長方形の枠体２０が取り付けられている。枠体２０の下方には、下部パネル９の裏側にあたり、メダル投入部５より投入される投入物を正規の遊技メダルか異物かを判別して振り分けるセレクト機構Ｇ０と、セレクト機構Ｇ０で振り分けられた遊技メダルをキャビネットボックス２側に設けられているホッパ装置ＨＰへ案内するガイド部材Ｇ１と、セレクト機構Ｇ０で振り分けられた異物をメダル払出口６へ案内するガイド部材Ｇ２と、ホッパ装置ＨＰから出力される払出し用の遊技メダルを払出口６へ案内するガイド部材Ｇ３が設けられ、さらにメダル払出口６の近傍に、放音部２１を構成するスピーカＳＷが取り付けられている。
【００２０】
次に、キャビネットボックス２の内部を図１０に示す。図１０に示すように、キャビネットボックス２の内部は、左右の側板をつないで固定された棚板１５より大きく上下２段に分けられており、上段には、スロットマシンＳＭの作動を統括的に制御する主制御基板７００が透明樹脂製の基板ケースに収められて背板１６の上部にネジ固定され、円筒外周面に沿って多数の図柄が描かれた３つの回胴リールＲ１、Ｒ２、Ｒ３を回転・停止駆動する回胴リール装置２００が棚板１５の上面に支持されて取り付けられている。下段には、主制御基板７００からの指令信号により入賞状態に応じて遊技メダルの払出を行うホッパ装置ＨＰ、主制御基板７００や回胴リール装置２００等の各種遊技展開装置に電力を供給する電源装置基板５００、ホッパ装置ＨＰのメダル貯留部（図示せず）が満杯の状態でさらに遊技メダルが投入されたときにメダル貯留部からあふれ出た遊技メダルを貯留する補助貯留部ＳＨＰなどが取り付けられている。キャビネットボックス２内の下方には、主電源装置ＰＷＵが設けられている。この主電源装置ＰＷＵは、外部から入力される１００Ｖもしくは２４Ｖであり、各所定の電圧に変圧して各基板に供給される。
【００２１】
ここで、キャビネットボックス２の裏側上部には、硬質プラスチックの収納ケース内に収納されたユニット構造である、主制御基板７００がスロットマシンＳＭの動作を統括するために設けられている。この主制御基板７００を中心として、サブ制御基板３００、中央表示基板４００、電源装置基板５００、回胴装置基板６００、外部集中端子基板８００がそれぞれ所定のケーブル（図示せず）を介して配線接続されている。
【００２２】
主制御基板７００には、半導体メモリＲＯＭ及びマイクロプロセッサＭＰＵ（ともに図示せず）が搭載されており、マイクロプロセッサＭＰＵが、半導体メモリＲＯＭに予め記憶されているシステムプログラムとスロットマシンゲーム用のプログラムを実行し、上記各基板３００、４００、５００、６００、８００を制御することによって、スロットマシンＳＭの動作状況とゲームの進行を統括管理している。具体的には、遊技機のメイン抽選、各リールの制御、入力スイッチ等の管理を行っている。
【００２３】
以上説明したように、キャビネットボックス２に取り付けられた遊技展開装置（２００、５００、７００、ＨＰ等）及び前面扉３に取り付けられた遊技展開装置（５、１１〜１４、ＳＬ、ＳＲ、ＳＷ等）は、図示省略するワイヤーハーネス（電気配線）により相互に接続され、スロットマシンＳＭが遊技可能に構成される。
【００２４】
このように構成されたスロットマシンＳＭでは、遊技者がメダル投入口５に遊技メダルを投入し、ベットボタンＢ１、Ｂ２、Ｂ３のいずれかを押下し、スタートレバー１１を操作すると、主制御基板７００は、このスタートレバー１１からの信号に基づいて起動指令信号を回胴リール装置２００に出力し、３つの回胴リールＲ１、Ｒ２、Ｒ３を同時に回転起動させる。遊技者は回転しているリールを任意に選択し、対応する停止ボタン１２、１３、１４を所望の順序およびタイミングで操作することができ、主制御基板７００はこれらの停止ボタンからの操作信号に応じて停止指令信号を回胴リール装置２００に出力し、対応する回胴リールの回転を制動停止させる。
【００２５】
回転していたリールＲ１、Ｒ２、Ｒ３が全て停止すると、主制御基板により入賞図柄の判定、すなわち当たりかはずれかの判定が行われる。主制御基板７００は停止後に透視窓１０に表示されている図柄について、投入した遊技メダルの枚数に応じた有効ライン（上・中・下３本の水平ライン及び左・右２本の斜めライン）上での入賞図柄の判定を行う。そして、有効ライン上の図柄の組み合わせが予め設定された入賞図柄の組み合わせに該当するときには、その入賞状態に応じた払出指令信号がホッパ装置ＨＰに出力され、ホッパ装置ＨＰから所定枚数の遊技メダルが払い出される。また、このとき上部スピーカＳＲ、ＳＬ及び下部スピーカＳＷから入賞に応じた効果音が発生される。
【００２６】
一方、入賞図柄の判定結果、有効ライン上の図柄の組み合わせが予め設定された入賞図柄の組み合わせに該当しなかったときには、遊技メダルの払い出しは行われず、投入した遊技メダルがホッパ装置ＨＰのメダル貯留部（図示せず）に収容される。このように、スロットマシンＳＭで遊技を行う遊技者は、表示された図柄が予め定められた組み合わせに該当しなかったときには投入した遊技メダルを失うが、表示された図柄が予め定められた組み合わせに該当しときには投入した枚数以上の遊技メダルを獲得しうることとなり、遊技メダルを増やすという興趣を楽しむことができる。
【実施例】
【００２７】
本発明の実施例について図１から図８を参照して詳細に説明する。
【００２８】
本発明の実施例のスロットマシンの正面外観を図２に示す。図２に示すスロットマシン１００は、操作台付スロットマシンであり、透視窓１０の下方に操作台２３が形成されている。操作台２３は、ベットボタンＢ１、Ｂ３、及びメダル投入口５のほかに、台の中央部に小型透視窓２２が配設され、小型透視窓２２の裏側内部には、図１に示すように、小型のミニリール３０を備えたメインリール装置である、リールユニット２６（図５参照）が取り付けられている。図４は、操作台２３を上方から見た外観である。
【００２９】
図３は、操作台付スロットマシン１００の側断面を示しており、キャビネットボックス２内部には、透視窓１０の裏側にメインリール装置とは別のリール装置である、演出用リール装置２５が配設されている。演出用リール装置２５は、メインリール装置では実行できない種々の動作、例えば、逆回転、高速回転、コマ送り回転等を行うことができる。
【００３０】
透視窓１０は、窓全体を１５インチの液晶画面とし、その液晶画面上に、多様なアニメーションやポリゴン等を使用した遊技に関する演出やデモ演出、当選頻度等の遊技台に関する記録・履歴情報等を表示させることができる。なお、本実施例では、表示手段として透視窓１０を液晶画面としているが、液晶画面の代わりにＣＲＴのような映像表示装置やＬＥＤ等の点表示器を多数配列した電気的表示装置を適用しても良いし、さらにはこれらの装置と液晶画面とを組み合わせたものを適用しても良い。
【００３１】
ここで、演出用リール装置２５や液晶表示装置をそれぞれ単独で適用しても良いし、演出用リール装置２５と液晶表示装置とを組み合わせても適用できる。
【００３２】
ここで、本実施例が上述のような構成にした理由について説明する。従来のスロットマシンは、遊技機のほぼ中央に設けられた、比較的サイズの大きいメインリールを主制御基板で制御し、遊技結果及び主基板による当たりはずれの結果をメインリールで表示し、遊技者はこのメインリールに注目しながら遊技を進行させていく。近年、遊技機の任意の位置に設けられた、液晶等の演出表示装置が遊技をさらに盛り立てる遊技機も登場し、遊技者の興味を引く高度な画像演出等、多様な表現が実現されている。このように画像演出が多様化する一方で、遊技者の中には大きなメインリールを見ずに小さな演出表示装置のみを見て遊技を行う遊技者も多数存在し、このような遊技者を満足させるために、より大型の演出表示装置を遊技機に備えるようになったが、現在の遊技機の構成と、遊技機を備え付ける島設備の寸法とに制限があるため、演出表示装置の大型化にも制限が生じてしまう。この問題を解決するために、本実施例のスロットマシンは、従来メインリールが装着されていた中部パネル部分に、演出装置としての大型の演出リールや大型液晶を備え、かつ遊技機の操作部近傍に小型化したミニメインリールを備える構成にすることにより、遊技者にとって、より演出表示装置が見やすくなるとともに、遊技者の興味や注意をより引きつけることが可能となる。
【００３３】
よって、従来のスロットマシンでは、主制御基板７００が回胴リール装置２００を制御し、サブ制御基板３００が液晶表示装置８及びミニリール（図示せず）等を制御していたが、本実施例１の操作台付スロットマシン１００は、主制御基板７００がリールユニット２６内のミニリール３０を制御し、サブ制御基板３００が演出用リール装置２５又は透視窓１０の１５インチ液晶画面を制御する。
【００３４】
次に、本実施例のメインリール装置であるリールユニット２６及びその取付構造について、図１及び図５〜図８を参照して説明する。
【００３５】
図５に示すように、リールユニット２６は、外周の材質が樹脂であり、方形箱形状に形成されている。ユニット内部はメインリールであるミニリール３０がＡssy 化されており、ユニット上部の開口部からミニリール３０の図柄が見えるようになっている。さらに、上部開口部の両端の枠部には、取付構造であるリールユニット爪部２７、爪部差込口２９がそれぞれ形成されている。なお、リールユニット２６は、図６に示すように、リールユニット下部３１とリールユニット上部３２が組み合うことにより形成され、ユニット内部にミニリール３０が装備される。
【００３６】
図７は、リールユニット２６の内部構造を示す側断面図である。リールユニット２６内には、ミニリール３０、ミニリール３０の回転動作を制御するステッピングモータ３４、遮光によりリールが１回転したことを検出するイニシャルセンサ３３、イニシャルセンサ３３を制御する、図示しないドライバ制御基板（リール制御基板）が配設されている。
【００３７】
図８は、操作台付スロットマシン１００の操作台２３の裏側内部を部分的に示す図であり、図８（ａ）及び（ｂ）は、リールユニット２６の取り付け順序についてそれぞれ示している。図８に示すように、操作台２３の裏側の面には、リールユニット２６の両端の枠部に形成された、２つのリールユニット爪部２７に対応して２つの爪部挿入部２４が設けられ、また、２つの爪部差込口２９に対応して２つの操作台爪部２８が設けられている。
【００３８】
そして、リールユニット２６を操作台２３の裏側に取り付ける場合、図８（ａ）に示すように、まず、リールユニット２６を持ち上げ、２つのリールユニット爪部２７を爪部挿入口２４にそれぞれ挿入する。両方の爪部２７が挿入されたら、リールユニット２６を矢印方向に持ち上げ、２つの爪部差込口２９が操作台爪部２８にそれぞれ入るように合わせる。そして、図８（ｂ）に示すように２つの爪部差込口２９が操作台爪部２８にそれぞれ入ったら、矢印方向（スタートレバー１１の方向）にリールユニット２６をスライドさせる。
【００３９】
このようにして、図１に示すようにリールユニット２６は操作台２３の裏側の面に固定される。スライドした後の状態は、部分拡大図である図１（ａ）及び（ｂ）にそれぞれ示すように、リールユニット爪部２７が爪部挿入口２４に挿入されたまま保持され、また、爪部差込口２９が操作台爪部２８に嵌合して保持される。
【００４０】
ここで、下パネルＡssy３５は、フロントマスク３と図示しないネジ等で固定されており、また、フロントマスク３と着脱可能である。
【００４１】
本実施例では、リールユニット爪部２７及びそれに対応する爪部挿入部２４、操作台爪部２８及びそれに対応する爪部差込口２９をそれぞれ２つずつ設けた構成で説明したが、各爪部とそれに対応する各挿入部や差込口は、単数又は２個以上でもよい。例えば、爪部の強度面を考慮して、リールユニットと操作台において、より大きな爪部とそれに対応する挿入部を設けても良いし、複数の爪部とそれに対応する複数の挿入部を設けても良い。
【００４２】
また、リールユニット爪部２７及び爪部挿入口２４を部分的にして、リールユニットに着脱可能な構成にしても良い。同様にして操作台爪部２８及び爪部差込口２９も部分的にして、遊技機の筐体に着脱可能な構成にしても良い。このような構成にすることで、従来のネジ留め式のリールユニットや遊技機に取り付けて、本実施例を適用することが可能となる。
【００４３】
以上説明したように、本実施例のリールユニット取付構造によれば、ネジ等の取付部材を使用することなく、ワンタッチの容易な手順でリールユニットを筐体内の所望の位置に取り付けることが可能となる。
【００４４】
なお、本実施例は操作台付スロットマシンを用いて説明したが、例えば、図９に示すような従来における一般的なスロットマシンにおいても、例えばキャビネットボックス内の棚板等に上記本実施例の構造を設けるなどして適用することが可能である。また、本発明は、スロットマシン以外の箱形形状の遊技機、或いは弾球遊技機のリールユニット取付機構に用いても良い。
【図面の簡単な説明】
【００４５】
【図１】本発明の実施例であるスロットマシンの内部構造を示す側断面図である。
【図２】本発明の実施例であるスロットマシンの外観を示す正面図である。
【図３】本発明のスロットマシンの筐体内部を示す側断面図である。
【図４】本発明のスロットマシンの操作台の外観を示す正面図である。
【図５】本発明のスロットマシンに係るリールユニットの外観を示す斜視図である。
【図６】リールユニットの分解状態の外観を示す斜視図である。
【図７】リールユニットの内部構造を示す側断面図である。
【図８】リールユニットの取付方法を示す側断面図である。
【図９】一般的なスロットマシンの外観を示す斜視図である。
【図１０】一般的なスロットマシンの内部構成を示す正面図である。
【符号の説明】
【００４６】
１    筐体
２    キャビネットボックス
３    前面扉（フロントマスク）
４    施錠装置
５    メダル投入口
６    メダル払出口
７    受け皿
８    液晶表示装置
９    下部パネル
１０    透視窓
１１    スタートレバー
１２、１３、１４    停止ボタン
１５    棚板
１６    背板
１７、１８、１９    演出用ランプ
２０    枠体
２１    放音部
２２    小型透視窓
２３    操作台
２４    爪部挿入口
２５    演出用リール装置
２６    リールユニット
２７    リールユニット爪部
２８    操作台爪部
２９    爪部差込口
３０    ミニリール
３１    リールユニット下部
３２    リールユニット上部
３３    イニシャルセンサ
３４    ステッピングモータ
３５    下パネルＡssy
１００    操作台付スロットマシン
２００    回胴リール装置
３００    サブ制御基板
４００    中央表示基板
５００    電源装置基板
６００    回胴装置基板
７００    主制御基板
８００    外部集中端子板
ＳＭ    スロットマシン
Ｂ１、Ｂ２、Ｂ３    ベットボタン
Ｒ１、Ｒ２、Ｒ３    回胴リール
ＨＰ    ホッパ装置
ＰＷＵ    主電源装置
ＢＱ    システム電源スイッチ
ＢＯ    設定スイッチ
ＳＨＰ    補助貯留部
ＳＲ、ＳＬ  上部スピーカ
ＳＷ    下部スピーカ
ＣＳ    設定ボタン
ＣＴ    設定表示素子
Ｇ０    セレクト機構
Ｇ１、Ｇ２、Ｇ３    ガイド部材
【図１】
2005052569.tif 000003
【図２】
2005052569.tif 000004
【図３】
2005052569.tif 000005
【図４】
2005052569.tif 000006
【図５】
2005052569.tif 000007
【図６】
2005052569.tif 000008
【図７】
2005052569.tif 000009
【図８】
2005052569.tif 000010
【図９】
2005052569.tif 000011
【図１０】
2005052569.tif 000012